(57)【要約】【課題】  湯張りを行う時点の外気温が前回の湯張り時の外気温と異なる場合であっても、給湯完了時の浴槽内の湯温をユーザが設定した湯張り温度に近づけ得る湯張り装置を提供する。【解決手段】  本実施例の湯張り装置１０は、湯張り処理を行う時点における外気温に基づいて外気補正温度を特定する（Ｓ１０）。また、ユーザが設定した設定温度に、上記の外気補正温度と、メモリから読み出された前回の差分温度を加えた給湯開始温度で給湯を開始する（Ｓ１２〜Ｓ１６）。給湯開始温度で設定湯量の半分まで給湯を行った場合、浴槽内の湯温を測定し、その湯温に基づいて湯温補正温度を特定し、給湯開始温度に当該湯温補正温度を加えた給湯再開温度で給湯を再開し、設定湯量までの残り半分の給湯を行う（Ｓ２０〜Ｓ２６）。【選択図】図４
2012037142.tif 000002
【特許請求の範囲】
【請求項１】
浴槽への湯張りを行う湯張り装置であって、
浴槽に給湯する給湯手段と、
ユーザに湯張り温度を設定させる設定手段と、
外気温及び水道水の水温のうち少なくとも一方の温度を測定する第１測定手段と、
制御手段を備え、
前記制御手段は、前記第１測定手段が測定した温度に基づいて、第１補正値を特定し、
前記給湯手段は、前記設定手段で設定された湯張り温度と、前記制御手段が特定した第１補正値とに基づいて特定される第１給湯温度で給湯を開始することを特徴とする湯張り装置。
【請求項２】
浴槽に供給された湯の温度を測定する第２測定手段をさらに備え、
前記制御手段は、前記給湯手段が前記第１給湯温度で給湯を行う間に、前記第２測定手段が測定した温度に基づいて第２補正値を特定し、
前記給湯手段は、前記第１給湯温度と、前記制御手段が特定した第２補正温度とに基づいて特定される第２給湯温度で給湯を継続することを特徴とする請求項１記載の湯張り装置。
【請求項３】
前記制御手段は、給湯完了時の浴槽内の湯の温度と、前記設定手段で設定された湯張り温度との差分を特定し、
次回給湯時に、特定された差分と前記第１測定手段が測定した温度に基づいて第１補正値を特定する、請求項２記載の湯張り装置。
【発明の詳細な説明】
【技術分野】
【０００１】
本発明は湯張り装置に関する。
【背景技術】
【０００２】
特許文献１には、浴槽への湯張りを行う湯張り装置の例が開示されている。特許文献１の湯張り装置は、浴槽への給湯が完了した場合に、ユーザが設定した湯張り温度と実際の浴槽内の湯温との差分を算出して記憶しておき、次回の湯張り時に、ユーザが設定した湯張り温度に算出した差分を加えた温度で給湯を行う。
【先行技術文献】
【特許文献】
【０００３】
【特許文献１】特開平４−１６９７４９号公報
【発明の概要】
【発明が解決しようとする課題】
【０００４】
浴槽への給湯を行っている間、すでに、浴槽内に給湯された湯の温度は放熱によって低下していく。浴槽内の湯からの放熱量は、外気温によって変化する。そのため、特許文献１の湯張り装置では、外気温が前回の湯張り時から大幅に変化すると、ユーザが設定した湯張り温度に前回の湯張り時に算出された差分を加えた温度で給湯を行ったとしても、外気温の変化に伴う放熱量の変化によって、給湯完了時の浴槽内の湯温が、ユーザが設定した湯張り温度とは大きく異なってしまう事態が生じ得る。
【０００５】
本明細書では、湯張りを行う時点の外気温が前回の湯張り時の外気温と異なる場合であっても、給湯完了時の浴槽内の湯温をユーザが設定した湯張り温度に近づけ得る湯張り装置を実現するための技術を開示する。
【課題を解決するための手段】
【０００６】
本明細書では、浴槽への湯張りを行う湯張り装置を開示する。湯張り装置は、浴槽に給湯する給湯手段と、ユーザに湯張り温度を設定させる設定手段と、外気温及び水道水の水温のうち少なくとも一方の温度を測定する第１測定手段と、制御手段を備える。制御手段は、第１測定手段が測定した温度に基づいて、第１補正値を特定する。給湯手段は、設定手段で設定された湯張り温度と、制御手段が特定した第１補正値とに基づいて特定される
第１給湯温度で給湯を開始する。
【０００７】
上記の湯張り装置によると、制御手段は、湯張りを行う時点における外気温及び水道水の水温のうち少なくとも一方の温度に基づいて第１補正値を特定し、給湯手段は、設定手段で設定された湯張り温度と、制御手段が特定した第１補正値とに基づいて特定される第１給湯温度で給湯を開始する。ここで言う「第１補正値」は、例えば、設定された湯張り温度に加えるための補正温度や、設定された湯張り温度に掛け合わせるための補正係数等を含む。上記の水道水の水温は、外気温に伴って変化する。即ち、給湯手段が給湯を開始する第１給湯温度は、湯張りを行う時点の外気温に基づいて特定される温度である。そのため、上記の湯張り装置によると、湯張りを行う時点の外気温が前回の湯張り時の外気温と異なる場合であっても、給湯完了後の浴槽内の湯温をユーザが設定した湯張り温度に近づけ得る。
【０００８】
上記の湯張り装置は、浴槽に供給された湯の温度を測定する第２測定手段をさらに備え、制御手段は、給湯手段が第１給湯温度で給湯を行う間に、第２測定手段が測定した温度に基づいて第２補正値を特定し、給湯手段は、第１給湯温度と、制御手段が特定した第２補正値とに基づいて特定される第２給湯温度で給湯を継続してもよい。ここで言う「第２補正値」は、例えば、第１給湯温度に加えるための補正温度や、第１給湯温度に掛け合わせるための補正係数等を含む。この構成によると、給湯手段は、実際に浴槽に供給された湯の温度に基づいて特定される第２補正値と、第１給湯温度とに基づいて特定される第２給湯温度で給湯を継続する。給湯中に給湯温度の補正を行うことができるため、給湯完了時の浴槽内の湯温をユーザが設定した湯張り温度により近づけ得る。
【０００９】
制御手段は、給湯完了時の浴槽内の湯の温度と、設定手段で設定された湯張り温度との差分を特定し、次回給湯時に、特定された差分と第１測定手段が測定した温度に基づいて第１補正値を特定してもよい。この構成によると、制御手段は、前回の給湯の結果を反映した第１補正値を特定することができる。給湯完了時の浴槽内の湯温をユーザが設定した湯張り温度により近づけ得る。
【図面の簡単な説明】
【００１０】
【図１】第１実施例の湯張り装置の構成を示すブロック図。
【図２】外気温から外気補正温度を特定するための特定テーブルを示す図。
【図３】第１実施例で用いられる各温度を説明するための温度テーブルを示す図。
【図４】湯張り処理を示すフローチャート。
【発明を実施するための形態】
【００１１】
以下に説明する実施例の主要な特徴を列記する。
（形態１）  給湯手段は、給湯バーナ、流量センサ、給湯サーミスタを備える。
（形態２）  循環経路は、循環ポンプ、循環サーミスタ、追い焚きバーナを備える。
（形態３）  給湯が完了した時に、浴槽内にユーザによって設定された湯張り温度以上の温度の湯が供給されている場合、湯張り装置は、追い焚き運転を省略する。
【実施例】
【００１２】
（第１実施例）
図面を参照して実施例を説明する。図１に示す湯張り装置１０は、浴槽１００へ給湯する給湯経路１２と、浴槽１００内の湯を循環する循環経路１４と、外気温サーミスタ４０と、リモコン５０と、制御装置６０を備えている。給湯経路１２は、上水道から供給される水道水を給湯バーナ２２で設定温度まで加熱し、浴槽１００へ給湯する。給湯経路１２には、上水道から給湯バーナ２２に供給される水の流量、即ち、給湯バーナ２２で加熱されて浴槽１００に供給される湯の流量を計測する流量センサ２４と、給湯バーナ２２で加熱されて浴槽１００に供給される湯の温度を計測する給湯サーミスタ２６が備えられている。なお、図１では、給湯経路１２に給水サーミスタ２０が破線で示されているが、この給水サーミスタ２０は後述の第２実施例で利用される。
【００１３】
循環経路１４の一端は浴槽１００の底部近傍に設けられた吸込口１４ａに連通している。循環経路１４の他端は浴槽１００の底部近傍に設けられた吐出口１４ｂに連通している。循環経路１４には、浴槽１００内の湯を吸込口１４ａから吸い出し、循環経路１４を通過させ、吐出口１４ｂから浴槽１００内へ戻す循環ポンプ３０と、浴槽１００内から循環経路１４内に流れ込む湯の温度を計測する循環サーミスタ３４と、循環経路１４を流れる湯を加熱する追い焚きバーナ３２が設けられている。なお、上記の給湯経路１２の下流端は、循環経路１４の下流側に連通されている。従って、給湯経路１２を通過した湯は、循環経路１４の下流側に流れ込み、吐出口１４ｂから浴槽１００内へと供給される。
【００１４】
外気温サーミスタ４０は、外気温を測定するサーミスタである。外気温サーミスタ４０は、上記の給湯経路１２及び循環経路１４とは離れた位置に設けられている。
【００１５】
リモコン５０は入力部５２と表示部５４を備える。ユーザは、入力部５２を操作して、浴槽１００への湯張りの設定温度、浴槽１００への湯張りの設定湯量等を入力することができる。また、入力部５２は、自動湯張りを開始するための湯張り開始ボタンを備えている。表示部５４には、浴槽１００への湯張りの設定温度及び設定湯量が表示される。
【００１６】
制御装置６０は、ＣＰＵ、メモリ、入出力を備える一般的なマイコンである。制御装置６０は、給湯バーナ２２、流量センサ２４、給湯サーミスタ２６、循環ポンプ３０、追い焚きバーナ３２、循環サーミスタ３４、外気温サーミスタ４０、リモコン５０の各装置の制御線が接続されている。制御装置６０は、接続されている各装置の動作を制御する。
【００１７】
制御装置６０は、図２に示す特定テーブル１１０を記憶している。図２の特定テーブル１１０は、制御装置６０が、外気温サーミスタ４０が測定した外気温Ａから、外気補正温度Ｃを特定するための表である。外気補正温度Ｃについては後で詳しく説明する。特定テーブル１１０では、複数の外気温Ａの範囲と、複数の外気補正温度Ｃとが対応付けられている。例えば、外気温Ａが１６℃の場合、外気補正温度Ｃは＋０．７℃となる。
【００１８】
本実施例の湯張り装置１０によって湯張り処理を行う際に用いられる温度Ａ〜Ｆを、図３の温度テーブル１２０を参照して説明する。図３の温度テーブル１２０は、Ａ〜Ｆのアルファベットで表わされる各温度の算出方法又は測定方法を示す。外気温Ａは、外気温サーミスタ４０によって測定される外気温である。設定温度Ｂ１は、ユーザがリモコン５０を操作して設定した湯張りの設定温度である。湯張り装置１０は、湯張り処理の完了時に浴槽１００内の湯の温度が設定温度Ｂ１となるように動作する。給湯開始温度Ｂ２は、給湯開始時（図４のＳ１６参照）の給湯温度を示す。給湯開始温度Ｂ２は、上記の設定温度Ｂ１に給湯補正温度Ｃ（後述）と、前回の湯張り時に算出された差分温度Ｆ（後述）を加えた温度である。給湯再開温度Ｂ３は、給湯再開時（図４のＳ２６参照）の給湯温度を示す。給湯再開温度Ｂ３は、上記の給湯開始温度Ｂ２に湯温補正温度Ｄ（後述）を加えた温度である。外気補正温度Ｃは、外気温Ａに基づいて、上記の図２の特定テーブル１１０に従って特定される温度である。外気補正温度Ｃは、上記の給湯開始温度Ｂ２を算出するために用いられる。湯温補正温度Ｄは、設定温度Ｂ１と湯温Ｅ１（後述）の差分である。湯温補正温度Ｄは、上記の給湯再開温度Ｂ３を算出するために用いられる。湯温Ｅ１は、給湯停止時（図４のＳ２０参照）における浴槽１００内の湯温である。湯温Ｅ１は、循環サーミスタ３４で浴槽１００内から循環経路１４内に流れ込む湯の温度を計測することにより測定される。上述の通り、湯温Ｅ１は、湯温補正温度Ｄを算出するために用いられる。湯温Ｅ２は、給湯完了時（図４のＳ３０参照）における浴槽１００内の湯温である。湯温Ｅ２も、循環サーミスタ３４で浴槽１００内から循環経路１４内に流れ込む湯の温度を計測することにより測定される。湯温Ｅ２は、後述の差分温度Ｆを算出するために用いられる。差分温度Ｆは、上記の設定温度Ｂ１と湯温Ｅ２の差分である。差分温度Ｆは、次回湯張り時の給湯開始温度Ｂ２を算出するために用いられる。
【００１９】
（湯張り処理）
本実施例の湯張り装置１０が実行する湯張り処理について、図４を参照して説明する。湯張り装置１０に湯張り処理を実行させる場合、ユーザは、まず、リモコン５０を操作して湯張りの設定温度Ｂ１と設定湯量を設定することができる。ユーザは、例えば、設定温度Ｂ１を４０℃に設定することができる。また、ユーザは、設定温度Ｂ１と設定湯量を設定した上で、リモコン５０の湯張り開始ボタンを操作することで、湯張り開始操作を実行することができる。
【００２０】
湯張り開始操作が実行されると、制御装置６０は、外気補正温度Ｃを特定する（Ｓ１０）。具体的には、制御装置６０は、外気温サーミスタ４０が測定する外気温Ａに基づいて、図２の特定テーブル１１０を用いて、外気補正温度Ｃを特定する。例えば、外気温Ａが１６℃の場合、制御装置６０は、外気温補正温度Ｃを＋０．７℃として特定する。
【００２１】
次いで、制御装置６０は、メモリから前回の湯張り処理時に記憶させた差分温度Ｆを読み出す（Ｓ１２）。例えば、メモリに差分温度Ｆとして＋０．１℃が記憶されていれば、制御装置６０は＋０．１℃を読み出す。なお、初回の湯張り処理である場合のように、メモリに差分温度Ｆが記憶されていない場合には、制御装置６０は差分温度Ｆを読み出さない。
【００２２】
次いで、制御装置６０は、設定温度Ｂ１に、Ｓ１０で特定された外気温補正温度ＣとＳ１２で読み出された差分温度Ｆを加え、給湯開始温度Ｂ２を特定する（Ｓ１４）。上記の例では、給湯開始温度Ｂ２は、Ｂ１＋Ｃ＋Ｆ＝４０℃＋０．７℃＋０．１℃＝４０．８℃である。
【００２３】
次いで、制御装置６０は、Ｓ１４で特定された給湯開始温度Ｂ２によって給湯を開始する（Ｓ１６）。即ち、給湯経路１２において、水道水を給湯バーナ２２で加熱して給湯開始温度Ｂ２の湯として、吐出口１４ｂから浴槽１００内へ供給する。このとき、制御装置６０は、給湯サーミスタ２６が測定する温度に従って、浴槽１００に供給される湯の温度が給湯開始温度Ｂ２になるように給湯バーナ２２の加熱量を調整する。また、制御装置６０は、流量センサ２４が測定する流量に基づいて、給湯を開始してから浴槽１００内に供給した湯の積算量をカウントする。
【００２４】
制御装置６０は、浴槽１００内に供給した湯の積算量が、設定湯量の１／２に達するまで給湯を続ける（Ｓ１８）。浴槽１００内に供給した湯の積算量が、設定湯量の１／２に達すると（Ｓ１８：ＹＥＳ）、制御装置６０は、給湯開始温度Ｂ２による給湯を停止する（Ｓ２０）。
【００２５】
次いで、制御装置６０は、循環ポンプ３０を作動させ、循環サーミスタ３４を用いて浴槽１００内に供給された湯の湯温Ｅ１を測定する（Ｓ２２）。具体的には、循環ポンプ３０が作動することにより、浴槽１００内の湯は、吸込口１４ａから吸い出され、循環経路１４内を通過して、吐出口１４ｂから浴槽１００内へ戻される。循環サーミスタ３４は、浴槽１００内から循環経路１４に流れ込んだ湯の温度（湯温Ｅ１）を測定する。次いで、制御装置６０は、給湯再開温度Ｂ３を特定する（Ｓ２４）。具体的には、まず、制御装置６０は、設定温度Ｂ１とＳ２２で測定された湯温Ｅ１との差分を計算して湯温補正温度Ｄを算出する。上記の例で、例えば湯温Ｅ１が３９℃であった場合、湯温補正温度Ｄは、Ｂ１−Ｅ１＝４０℃−３９℃＝１℃となる。次に、制御装置６０は、給湯開始温度Ｂ２に湯温補正温度Ｄを加え、給湯再開温度Ｂ３を特定する。上記の例では、給湯再開温度Ｂ３は、Ｂ２＋Ｄ＝４０．８℃＋１℃＝４１．８℃である。
【００２６】
次いで、制御装置６０は、Ｓ２４で特定された給湯再開温度Ｂ３によって給湯を再開する（Ｓ２６）。制御装置６０は、給湯サーミスタ２６が測定する温度に従って、浴槽１００に供給される湯の温度が給湯再開温度Ｂ３になるように給湯バーナ２２の加熱量を調整する。また、制御装置６０は、流量センサ２４が測定する流量に基づいて、給湯を開始してから浴槽１００内に供給した湯の積算量のカウントを継続する。
【００２７】
次いで、制御装置６０は、浴槽１００内に供給した湯の積算量が、設定湯量に達するまで給湯を続ける（Ｓ２８）。浴槽１００内に供給した湯の積算量が、設定湯量に達すると（Ｓ２８：ＹＥＳ）、制御装置６０は、給湯再開温度Ｂ３による給湯を停止する。これにより給湯が完了する（Ｓ３０）。
【００２８】
次いで、制御装置６０は、循環ポンプ３０を作動させ、循環サーミスタ３４を用いて浴槽１００内に供給された湯の湯温Ｅ２を測定する（Ｓ３２）。湯温Ｅ２を測定する方法は、上記のＳ２２で湯温Ｅ１を測定した方法と同じである。次いで、制御装置６０は、新たな差分温度Ｆを特定し、メモリに記憶させる（Ｓ３４）。具体的には、制御装置６０は、設定温度Ｂ１と、Ｓ３２で測定された湯温Ｅ２の差分を計算し、差分温度Ｆを特定する。上記の例では、湯温Ｅ２が３９．８℃であった場合、差分温度Ｆは、Ｂ１−Ｅ２＝４０℃−３９．８℃＝０．２℃である。さらに、制御装置６０は、特定された差分温度Ｆをメモリに記憶させる。なお、すでにメモリ内に差分温度Ｆが記憶されている場合、制御装置６０は、メモリ内に記憶されている差分温度Ｆを、新たに特定された差分温度Ｆに上書きする。Ｓ３４で記憶された差分温度Ｆは、上述の通り、次回の湯張り処理時において、給湯開始温度Ｂ２を特定する際に用いられる。
【００２９】
次いで、制御装置６０は、循環ポンプ３０と追い焚きバーナ３２を作動させ、浴槽１００内の湯温が設定温度Ｂ１に到達するまで追い焚き運転を行う（Ｓ３６）。循環ポンプ３０の作動によって、浴槽１００内の湯は、吸込口１４ａから吸い出され、循環経路１４内を通過して、吐出口１４ｂから浴槽１００内へ戻される。追い焚きバーナ３２は、循環経路１４内を流れる湯を加熱する。追い焚きバーナ３２で加熱された湯は、吐出口１４ｂから浴槽１００内へ戻される。なお、Ｓ３４で特定される差分温度Ｆが０℃以下であった場合、浴槽１００内には既に設定温度Ｂ１以上の温度の湯が供給されていることになる。その場合、制御装置６０は、Ｓ３６の追い焚き運転を行わず、Ｓ３８に進む。
【００３０】
Ｓ３６の追い焚きの結果、循環サーミスタ３４によって測定される温度が設定温度Ｂ１となり、浴槽１００内の湯が設定温度Ｂ１となる場合、制御装置６０は循環ポンプ３０と追い焚きバーナ３２を停止させ、湯張りが完了する（Ｓ３８）。これにより湯張り処理が終了する。
【００３１】
以上、本実施例の湯張り装置１０について説明した。本実施例の湯張り装置１０は、図４のＳ１０に示すように、湯張り処理を行う時点における外気温Ａに基づいて外気補正温度Ｃを特定する。また、図４のＳ１２〜Ｓ１６に示すように、ユーザが設定した設定温度Ｂ１に、上記の外気補正温度Ｃと、メモリから読み出された前回の差分温度Ｆを加えた給湯開始温度Ｂ２で給湯を開始する。即ち、本実施例の給湯開始温度Ｂ２は、湯張りを行う時点の外気温Ａに基づく給湯温度である。そのため、本実施例の湯張り装置１０によると、湯張りを行う時点の外気温Ａが前回の湯張り時の外気温と異なる場合であっても、給湯完了後の浴槽１００内の湯温Ｅ２を設定温度Ｂ１に近づけることができる。その結果、図４のＳ３６で行う追い焚き運転の時間も短縮させ得る。追い焚き運転の時間が短縮されることにより、湯張りの開始から完了までの時間も短縮される。さらに、本実施例の湯張り装置１０は、前回の給湯結果から導き出された差分温度Ｆを加えて給湯開始温度Ｂ２を特定するため、前回の給湯の結果を反映した給湯を行うことができ、給湯完了後の浴槽１００内の湯温Ｅ２を設定温度Ｂ１により近づけやすくなる。
【００３２】
本実施例の湯張り装置１０は、図４のＳ２０〜Ｓ２６に示すように、給湯開始温度Ｂ２で、設定湯量の半分まで給湯を行った場合に、循環サーミスタ３４で浴槽１００内の湯温Ｅ１を測定し、その湯温Ｅ１に基づいて湯温補正温度Ｄを特定する。さらに、湯張り装置１０は、給湯開始温度Ｂ２に湯温補正温度Ｄを加えた給湯再開温度Ｂ３を特定し、その給湯再開温度Ｂ３で給湯を再開し、設定湯量までの残り半分の給湯を行う。給湯中に給湯温度の補正を行うことができるため、給湯完了時の浴槽１００内の湯温Ｅ２を設定温度Ｂ１により近づけることができる。
【００３３】
また、本実施例の湯張り装置１０では、循環経路１４は、循環ポンプ３０と循環サーミスタ３４を備える。循環サーミスタ３４は、循環ポンプ３０の駆動時に循環経路１４内を流れる湯の温度を測定することによって、浴槽１００に供給された湯の温度を測定する。そのため、循環ポンプ３０を作動させることにより、浴槽１００内に供給された湯を攪拌することができ、浴槽１００内の場所による湯の温度のバラツキを減少させることができる。そのため、循環サーミスタ３４が浴槽１００内の湯の温度の測定を正確に行うことができる。その結果、湯温補正温度Ｄがより正確に算出される。
【００３４】
上記の第１実施例の構成と本発明の構成との対応関係を記載しておく。給湯経路１２、リモコン５０、制御装置６０が、それぞれ「給湯手段」、「設定手段」、「制御手段」の一例である。外気温サーミスタ４０、循環サーミスタ３４が、それぞれ「第１測定手段」、「第２測定手段」の一例である。外気温Ａ、設定温度Ｂ１、外気補正温度Ｃ、給湯開始温度Ｂ２が、それぞれ「第１測定手段が測定した温度」、「湯張り温度」、「第１補正値」、「第１給湯温度」の一例である。湯温Ｅ１、湯温補正温度Ｄ、給湯再開温度Ｂ３が、それぞれ「第２測定手段が測定した温度」、「第２補正値」、「第２給湯温度」の一例である。また、湯温Ｅ２、差分温度Ｆが、それぞれ「給湯完了時の浴槽内の湯の温度」と「特定された差分」の一例である。また、外気補正温度Ｃと差分温度Ｆの和が、「第１補正値」の他の一例である。
【００３５】
（第２実施例）
第２実施例について第１実施例と異なる点を中心に説明する。本実施例では、外気温サーミスタ４０に代えて、図１の破線で示す給水サーミスタ２０を備え、外気温Ａに代えて水道水の水温Ａ´を測定する。本実施例では、外気補正温度Ｃに代えて、測定された水道水の水温Ａ´に基づいて水温補正温度Ｃ´を特定してもよい。この場合、制御装置６０は、図２に示す特定テーブル１１０に代えて、水道水の水温Ａ´と水温補正温度Ｃ´を対応付けた特定テーブルを記憶しておく。
【００３６】
この構成によると、湯張り処理を行う時点における水道水の水温Ａ´に基づいて水温補正温度Ｃ´を特定し、ユーザが設定した設定温度Ｂ１に、上記の水温補正温度Ｃ´と、メモリから読み出された前回の差分温度Ｆを加えた給湯開始温度Ｂ２´で給湯を開始する。水道水の水温Ａ´は、外気温に伴って変化する。従って、本実施例の湯張り装置１０は、給水サーミスタ２０で測定される水道水の水温Ａ´から外気温を推定し得る。即ち、本実施例の給湯開始温度Ｂ２´も、湯張りを行う時点の外気温に基づいて特定される給湯温度である。そのため、外気温サーミスタ４０を備えない本実施例の湯張り装置１０も、第１実施例の場合と同様に、仮に湯張りを行う時点の外気温が前回の湯張り時の外気温と異なる場合であっても、給湯完了後の浴槽１００内の湯温Ｅ２を設定温度Ｂ１に近づけることができる。その結果、図４のＳ３６で行う追い焚き運転の時間も短縮させ得る。なお、本実施例の給水サーミスタ２０も、本発明の「第１測定手段」の一例である。
【００３７】
（変形例）
（１）第１実施例では、制御装置６０は、図２の特定テーブル１１０を用いて、外気温Ａに対応する外気補正温度Ｃを特定している。これに代えて、制御装置６０は、適切な外気温補正温度Ｃを特定するための所定の関数を記憶しておき、その関数を用いて、外気温Ａから適切な外気温補正温度Ｃを算出するようにしてもよい。
【００３８】
（２）上記の各実施例では、湯張り装置１０は、給湯開始温度Ｂ２で設定湯量の半分まで給湯を行った場合に、一旦給湯を停止し、給湯再開温度Ｂ３を特定し、その給湯再開温度Ｂ３で給湯を再開する。しかしながら、湯張り装置１０は、途中で給湯を停止することなく、給湯開始温度Ｂ２で設定湯量の全量を給湯してもよい。
【００３９】
（３）また、上記の各実施例では、湯張り装置１０は、給湯開始温度Ｂ２で設定湯量の半分まで給湯を行った場合に、一旦給湯を停止するが、給湯を停止する量は設定湯量の半分に限らず、少なくとも循環経路１４内を循環可能な量の湯が浴槽１００内に供給されていれば、任意の量とすることができる。
【００４０】
（４）上記の各実施例では、湯張り装置１０は、給湯の完了後に、浴槽１００内の湯の温度が設定温度Ｂ１になるまで追い焚き運転を行うが、湯張り装置１０は、追い焚き運転を省略してもよい。その場合、湯張り装置１０は、給湯が完了する時点で浴槽１００内に設定温度Ｂ１以上の湯が供給されるように給湯を実行する。
【００４１】
（５）上記の各実施例では、給湯開始温度Ｂ２は、ユーザが設定した設定温度Ｂ１に、外気補正温度Ｃと、メモリから読み出された前回の差分温度Ｆを加えた温度として説明した。しかしながら、給湯開始温度は、前回の差分温度Ｆを加えず、ユーザが設定した設定温度Ｂ１に外気補正温度Ｃのみを加えた値としてもよい。
【００４２】
（６）上記の各実施例では、制御装置６０は、外気温サーミスタ４０が測定する外気温Ａに基づいて、外気補正温度Ｃを特定し、ユーザが設定した設定温度Ｂ１に、その外気補正温度Ｃと差分温度Ｆを加えることで給湯開始温度Ｂ２を特定する。しかしながら、これに代えて、制御装置６０は、外気温サーミスタ４０が測定する外気温Ａに基づいて、外気補正係数を特定してもよい。また、制御装置６０は、差分温度Ｆに変えて、差分補正係数を特定してもよい。その場合、制御装置６０は、ユーザが設定した設定温度Ｂ１に、その外気補正係数と、差分補正係数とを掛け合わせることによって得られる温度を給湯開始温度Ｂ２としてもよい。本変形例における外気補正係数も、本発明の「第１補正値」の一例である。また、外気補正係数と差分補正係数の積も、「第１補正値」の他の一例である。
【００４３】
（７）また、上記の各実施例では、制御装置６０は、設定湯量の半分まで給湯を行った場合に、浴槽１００内の湯温Ｅ１に基づいて湯温補正温度Ｄを特定し、給湯開始温度Ｂ２にその湯温補正温度Ｄを加えた給湯再開温度Ｂ３を特定する。しかしながら、制御装置は、浴槽１００内の湯温Ｅ１に基づいて湯温補正係数を特定してもよい。その場合、制御装置６０は、給湯開始温度Ｂ２にその湯温補正係数を掛け合わせることによって得られる温度を給湯再開温度Ｂ３としてもよい。本変形例における湯温補正係数も、本発明の「第２補正値」の一例である。
【００４４】
（８）上記の各実施例では、制御装置６０は、外気温サーミスタ４０が測定する外気温Ａに基づいて、外気補正温度Ｃを特定しているが、これに代えて、制御装置６０は、外気温Ａと、ユーザが設定した設定温度Ｂ１とに基づいて、外気補正温度Ｃを特定するようにしてもよい。本変形例の構成により、ユーザが設定した設定温度毎に、給湯経路１２及び浴槽１００からの放熱量に差がある場合においても、制御装置６０は最適な外気補正温度Ｃを特定することができる。
【００４５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００４６】
１０：湯張り装置、１２：給湯手段、１４：循環手段、１４ａ：吸込口、１４ｂ：吐出口、２０：給水サーミスタ、２２：給湯バーナ、２４：流量センサ、２６：給湯サーミスタ、３０：循環ポンプ、３２：追い焚きバーナ、３４：循環サーミスタ、４０：外気温サーミスタ、５０：リモコン、６０：制御装置、１００：浴槽
【図１】
2012037142.tif 000003
【図２】
2012037142.tif 000004
【図３】
2012037142.tif 000005
【図４】
2012037142.tif 000006